(57)【要約】【課題】針金などを用いた不正解錠を完全に防止することができ、施錠・解錠操作もスムーズに行なうことができるゲーム機の施錠装置を提供することを目的とする。【解決手段】基枠体１の上部と下部に、受け金具２２，２３を受け入れて拘束する拘束溝部を有したラッチ部材５，６が回動可能に枢支され、ラッチ部材５，６には基枠体１に沿って摺動可能に配設された上部と下部の作動杆７，８が連結される。基枠体１にはシリンダ錠９が軸方向に押し込み引き出し移動可能に装着され、施錠時にラッチ部材５，６が受け金具を拘束してラッチ位置に回動し、シリンダ錠９が基枠体側に押し込まれたとき、上部と下部の作動杆７，８を介してラッチ部材５，６を施錠位置にロックする。シリンダ錠９にキーを挿入して解錠操作し、シリンダ錠９を基枠体１から引き出してロックを解除する。【選択図】図２
2006218034.tif 000002
【特許請求の範囲】
【請求項１】
基枠体の上部と下部に、受け金具を受け入れて拘束する拘束溝部を有したラッチ部材が回動可能に枢支され、該ラッチ部材には該基枠体に沿って摺動可能に配設された作動杆が連結され、該作動杆には該ラッチ部材を解錠側に付勢するばね部材が装着され、
該基枠体にはシリンダ錠が軸方向に押し込み引き出し移動可能に装着され、施錠時に該ラッチ部材が該受け金具を拘束してラッチ位置に回動し、該シリンダ錠が基枠体側に押し込まれたとき、該作動杆を介して該ラッチ部材を施錠位置にロックするロック手段が設けられ、
該シリンダ錠にキーを挿入して解錠操作し、該シリンダ錠を該基枠体から引き出したとき、該ロック手段のロックを解除するロック解除手段が設けられたことを特徴とするゲーム機の施錠装置。
【請求項２】
前記シリンダ錠の元部には係止部材が取り付けられ、該シリンダ錠が該係止部材と共に基枠体の内側に押し込まれたとき、該係止部材により該作動杆が係止され、該ラッチ部材がラッチ位置に保持されて施錠状態となり、解錠時に該シリンダ錠が引き出されたとき、該係止部材と該作動杆との係合が解除され、該ラッチ部材が解錠位置に回動することを特徴とする請求項１記載のゲーム機の施錠装置。
【請求項３】
前記シリンダ錠の元部と前記基枠体との間にばね部材が装着され、該シリンダ錠は該ばね部材により該基枠体に押し込む方向に付勢されていることを特徴とする請求項１記載のゲーム機の施錠装置。
【請求項４】
前記作動杆が上部作動杆と下部作動杆とから構成され、上部のラッチ部材が下側を向き下部のラッチ部材が上側を向いて枢支され、上部のラッチ部材に上部作動杆が連結されると共に、下部のラッチ部材に下部作動杆が連結され、該上部作動杆と該下部作動杆間にばね部材が掛け渡され、該上部作動杆の下部と該下部作動杆の上部に、該係止部材と係合可能な係止凸部が設けられたことを特徴とする請求項２記載のゲーム機の施錠装置。
【請求項５】
該基枠体の内側にカバーガイド部材が該カム部材を覆って取り付けられ、該カバーガイド部材には、該カム部材の回動と錠軸の軸方向の移動をガイドする異形ガイド孔が形成されると共に、該カム部材を施錠位置に係止して該シリンダ錠の解錠側への移動を阻止する係止部が該カム部材に設けられたことを特徴とする請求項４記載のゲーム機の施錠装置。
【請求項６】
前記カバーガイド部材の異形ガイド孔は、シリンダ錠にキーを差し込んで錠軸を解除側に回したとき、前記カム部材との係止が外れてシリンダ錠の引き出し動作を可能とする形状に形成され、該カム部材の軸方向の移動をガイドする係合ガイド部が該異形ガイド孔に設けられていることを特徴とする請求項５記載のゲーム機の施錠装置。
【請求項７】
前記シリンダ錠の錠軸またはカム部材に、キー挿入可能な中立位置に戻すための捻りばねが装着され、施錠時にシリンダ錠を押し込んだ際、該錠軸及びカム部材が該捻りばねの付勢力により中立位置に戻ることを特徴とする請求項６記載のゲーム機の施錠装置。
【請求項８】
前記シリンダ錠の元部にフランジが設けられ、該フランジに前記係止部材が固定され、前記カバーガイド部材の内側に複数のガイド筒が該シリンダ錠の軸方向に沿って設けられ、該フランジが該ガイド筒に摺動可能にガイドされることを特徴とする請求項７記載のゲーム機の施錠装置。                                                                        
【発明の詳細な説明】
【技術分野】
【０００１】
本発明は、スロットマシン機等のゲーム機の前面枠（前扉）を、本体枠（キャビネット）に対し施錠するゲーム機の施錠装置に関し、特に不正解錠を効果的に防止し、スムーズに施錠・解錠操作を行なうことができる施錠装置に関する。
【背景技術】
【０００２】
従来、ゲーム機の施錠装置として、一般に、基枠体の内側に作動杆が摺動可能に配設され、基枠体の支持板の上部と下部に鉤部材が、作動杆に連結されて傾動可能に枢支され、基枠体の取付板の中間部に、シリンダ錠がその錠軸を取付板に設けた孔から内側に差し込むように固定され、錠軸の先端に作動杆と係合するカム板が取り付けられた構成の施錠装置が使用されている。
【０００３】
この種のゲーム機用施錠装置は、構造が強固で、施錠・解錠動作も確実に行うことができるものの、針金などで不正に操作された場合、不正解錠が行なわれる可能性があった。すなわち、ゲーム機の前面枠を不正に解錠するために、ゲーム機の前面枠と本体枠の隙間から針金などを差し込み、針金の先端で作動杆を係止して作動杆を解錠方向に動かした場合、作動杆の移動と共に、上下の鉤部材が解錠方向に傾動し、不正に解錠される虞があった。
【０００４】
そこで、このような不正解錠を防止するために、従来、下部または上部の何れか一方の鉤部材が、不正針金などにより解錠方向に傾動された場合でも、他方の鉤部材は解錠方向に従動せずに、施錠状態を保持するようにして、不正解錠を防止する施錠装置が、下記特許文献１などで提案されている。
【特許文献１】特開２００１−３４２７６２号公報
【発明の開示】
【発明が解決しようとする課題】
【０００５】
しかしながら、従来のこの種の不正解錠を防止する施錠装置であっても、施錠状態において、上部と下部の鉤部材は物理的に解錠方向に傾動可能な状態となっているため、上部の鉤部材と下部の鉤部材の両方に不正な針金などを同時に引っ掛けて、解錠方向に引いて傾動させた場合には、不正解錠が可能となってしまい、非常に少ない確率ながら、やはり不正解除が行なわれる虞があった。
【０００６】
本発明は、上記の点に鑑みてなされたもので、針金などを用いた不正解錠を完全に防止することができ、施錠・解錠操作もスムーズに行なうことができるゲーム機の施錠装置を提供することを目的とする。
【課題を解決するための手段】
【０００７】
上記目的を達成するために、本発明の請求項１のゲーム機の施錠装置は、基枠体の上部と下部に、受け金具を受け入れて拘束する拘束溝部を有したラッチ部材が回動可能に枢支され、該ラッチ部材には該基枠体に沿って摺動可能に配設された作動杆が連結され、該作動杆には該ラッチ部材を解錠側に付勢するばね部材が装着され、
該基枠体にはシリンダ錠が軸方向に押し込み引き出し移動可能に装着され、施錠時に該ラッチ部材が該受け金具を拘束してラッチ位置に回動し、該シリンダ錠が基枠体側に押し込まれたとき、該作動杆を介して該ラッチ部材を施錠位置にロックするロック手段が設けられ、
該シリンダ錠にキーを挿入して解錠操作し、該シリンダ錠を該基枠体から引き出したとき、該ロック手段のロックを解除するロック解除手段が設けられたことを特徴とする。
【０００８】
ここで、請求項２のように、前記ロック手段として、シリンダ錠の元部には係止部材が取り付けられ、該シリンダ錠が該係止部材と共に基枠体の内側に押し込まれたとき、該係止部材により該作動杆が係止され、該ラッチ部材がラッチ位置に保持されて施錠状態となり、解錠時に該シリンダ錠が引き出されたとき、該係止部材と該作動杆との係合が解除され、該ラッチ部材が解錠位置に回動するように、前記ロック解除手段を構成することができる。
【０００９】
また、請求項３のように、前記シリンダ錠の元部と前記基枠体との間にばね部材が装着され、シリンダ錠はばね部材により基枠体に押し込む方向に付勢される構成することができる。
【００１０】
また、請求項４のように、前記作動杆が上部作動杆と下部作動杆とから構成され、上部のラッチ部材が下側を向き下部のラッチ部材が上側を向いて枢支され、上部のラッチ部材に上部作動杆が連結されると共に、下部のラッチ部材に下部作動杆が連結され、該上部作動杆と該下部作動杆間にばね部材が掛け渡され、該上部作動杆の下部と該下部作動杆の上部に、該係止部材と係合可能な係止凸部が設けられた構成とすることができる。
【００１１】
さらに、請求項５のように、前記基枠体の内側にカバーガイド部材が該カム部材を覆って取り付けられ、該カバーガイド部材には、該カム部材の回動と錠軸の軸方向の移動をガイドする異形ガイド孔が形成されると共に、該カム部材を施錠位置に係止して該シリンダ錠の解錠側への移動を阻止する係止部が該カム部材に設けられた構成とすることができる。
【００１２】
さらに、請求項６のように、前記カバーガイド部材の異形ガイド孔は、シリンダ錠にキーを差し込んで錠軸を解除側に回したとき、前記カム部材との係止が外れてシリンダ錠の引き出し動作を可能とする形状に形成され、該カム部材の軸方向の移動をガイドする係合ガイド部が該異形ガイド孔に設けられた構成とすることができる。
【００１３】
さらに、請求項７のように、前記シリンダ錠の錠軸またはカム部材に、キー挿入可能な中立位置に戻すための捻りばねが装着され、施錠時にシリンダ錠を押し込んだ際、該錠軸及びカム部材が該捻りばねの付勢力により中立位置に戻る構成とすることができる。
【００１４】
さらに、請求項８のように、前記シリンダ錠の元部にフランジが設けられ、該フランジに前記係止部材が固定され、前記カバーガイド部材の内側に複数のガイド筒が該シリンダ錠の軸方向に沿って設けられ、該フランジが該ガイド筒に摺動可能にガイドされる構成とすることができる。
【発明の効果】
【００１５】
上記構成の施錠装置は、前面枠をキャビネットに対し閉じると、受け金具がラッチ部材の拘束溝部内に進入し、受け金具がラッチ部材を押し込むようにしてラッチ部材がばね手段の付勢力に抗して回動し、ラッチ部材の拘束溝部内に受け金具が拘束された状態となる。この時、シリンダ錠が手動により或はばね部材の付勢力により基枠体に押し込まれ、ロック手段としての係止部材が作動杆を施錠位置にロックして、作動杆及びラッチ部材を施錠状態にロックする。受け金具はラッチ部材の拘束溝部内にロックされ施錠状態となる。
【００１６】
このように、施錠状態においては、係止部材が作動杆及びラッチ部材を施錠位置にロックするため、その移動や回動が不可能となり、不正な針金を前面枠の隙間から差し込んで、作動杆、ラッチ部材を動かして不正解除しようとしても、動かすことができず、完全に近い確率で不正解錠を防止することができる。
【００１７】
また、解錠する場合は、シリンダ錠のキーを回し、且つシリンダ錠を基枠体から引き出すように操作する。これにより、シリンダ錠と共に係止部材が移動して作動杆のロックが解除され、ばね部材の付勢力により作動杆が解錠方向に移動し、ラッチ部材が解錠側に回動する。このとき、ラッチ部材はばね部材の付勢力により解錠方向に付勢されているため、ばね力により自動的に解錠位置に回動し、ロックされていた受け金具がラッチ部材の拘束溝部から外れ、前方に押し出され、解錠状態となる。
【００１８】
このとき、ラッチ部材はばね部材により付勢されて解錠位置まで回動し、受け金具を押し出すように作用するため、固定側の受け金具から反動を受けて、前面枠が自動的に開き、使用者は解錠したことを容易に認識することができる。また、施錠操作は、使用者が例えばキーを持って前面枠を閉じると共に、同時にシリンダ錠を押し込むだけの簡単な操作で、或はシリンダ錠がばね部材により押し込む方向に付勢されている場合は、前面枠を閉じるだけの簡単な操作で、施錠することができる。また、解錠時にも、キーを回してシリンダ錠を引けば、シリンダ錠がそのまま引き出されて解錠されるため、極めてスムーズに施錠・解錠を行うことができる。
【発明を実施するための最良の形態】
【００１９】
以下、本発明の実施の形態を図面に基づいて説明する。図１〜図４は施錠装置の施錠状態を示す正面図、左側面図、右側面図、及び背面図を示し、図５〜図７はその分解図を示している。この施錠装置は縦長の基枠体１を有し、基枠体１は断面Ｌ形に曲折された縦長の取付板と支持板３とからなり、取付板２には複数の取付孔、シリンダ錠９が挿入される挿入孔２ｂ、スリット孔２ｃなどが穿設されている。
【００２０】
取付板２に対し略直角に曲折された支持板３の背面側縁部には、凹部３ａがキャビネット２０側の受け金具２２，２３の進入を受け入れるように、切り欠いて形成される。更に、図６に示すように、支持板３には、後述の作動杆７を摺動可能に支持するガイド部３ｂが外側に切り起すように形成される。
【００２１】
支持板３の中間部には、支持板３の一部を外側に突き出すように、中間支持板３ｅが形成されると共に、対応した取付板２の中間部には幅広部２ａが形成され、その幅広部２ａに、後述のシリンダ錠９を挿入するための挿入孔２ｂがスリット孔２ｃと共に穿設されている（図７）。支持板３の上部と下部には、支持板３の凹部３ａに向く形態で、前面枠の閉鎖時に、その凹部３ａに進入した受け金具２２，２３を拘束するためラッチ部材５、６が、リベット軸５ｂ、６ｂにより回動可能に軸支されている。
【００２２】
すなわち、上部と下部のラッチ部材５，６には板状の受け金具２２，２３を受け入れて拘束する拘束溝部５ａ，６ａが形成され、上部のラッチ部材５は、その拘束溝部５ａを下方に向けて回動可能にリベット軸５ｂにより軸支され、下部のラッチ部材６は、その拘束溝部６ａを上方に向けて回動可能にリベット軸５ｂにより軸支されている。
【００２３】
図５〜図７のように、縦長で帯状の上部作動杆７と下部作動杆８が、基枠体１の支持板３の外側に沿って摺動可能に配設される。上部作動杆７の下端部及び下部作動杆８の上端部は、上記の外側に突出した中間支持板３ｅの内側に沿って配設されるように、曲折して形成され、その曲折した部分にガイド孔７ｂ、８ｂが形成される。そのガイド孔７ｂ、８ｂにガイドピン３ｃ、３ｄを挿入して支持板３または中間支持板３ｅに先端を固定し、ガイドピン３ｃ、３ｄ、及び上記ガイド部３ｂにより支持されることにより、上部作動杆７と下部作動杆８は、支持板３及び中間支持板３ｅの外側で所定の範囲で上下摺動可能となっている。
【００２４】
そして、上部作動杆７の上端部がリベット軸５ｃを介して上部のラッチ部材５に連結され、下部作動杆８の下端部がリベット軸６ｃを介して下部のラッチ部材６に連結される。さらに、上部作動杆７と下部作動杆８の間に、つまり上部作動杆７の下端部と下部作動杆８の上端部との間にコイルばね４が掛け渡される。このコイルばね４の引っ張り付勢力により、上部作動杆７は下方に付勢され、下部作動杆８は上方に付勢され、これによって、上下のラッチ部材５、６はその拘束溝部５ａ，６ａを、図１６，図１７のように、背面側に開くように、つまり解錠方向に回動付勢される。施錠装置の解錠時には、ラッチ部材５，６はこの図１６，図１７のような状態となる。
【００２５】
さらに、上部作動杆７の下端部と下部作動杆８の上端部には、後述の係止部材１０に係止される係止凸部７ａ，８ａが内側に曲折して形成されている（図７）。この上部作動杆７の下端の係止凸部７ａと下部作動杆８の上端の係止凸部８ａは、ラッチ部材５，６が図１４のような施錠状態（相互に内側に回動した状態）となったとき、シリンダ錠９が押し込まれた際、シリンダ錠９と共に移動した係止部材１０の係止部１０ａに係止され、施錠状態を保持する。上記ロック手段及びロック解除手段は、この係止部材１０の係止部１０ａ及び作動杆７，８の係止凸部７ａ，８ａから構成される。
【００２６】
シリンダ錠９は、連結筒を設けた長尺形に形成され、上記のように、取付板２の幅広部２ａに穿設した挿入孔２ｂに、基枠体１の内側から前方に突き出すように、且つ軸方向（長手方向）に摺動可能に挿入される。また、挿入孔２ｂに隣接してスリット孔２ｃが係止部材挿入用に設けられる。シリンダ錠９はその末端にフランジ９ａが設けられ、フランジ９ａから背面側に錠軸９ｂが突出している。フランジ９ａの上部と下部にはガイド孔９ｃが穿設され、このガイド孔９ｃにはガイド筒１５が挿通される（図５）。さらに、このシリンダ錠９のフランジ９ａの背面側には、図５に示すように、係止部材１０とカバー部材１１が固定される。また、錠軸９ｂの先端に、カム部材１３が固定される。カバー部材１１の内側には、このカム部材１３つまり錠軸９ｂを中立位置（キーを出し入れ可能な位置）に戻すための捻りばね１４が図１２のように装着されている。
【００２７】
係止部材１０は、図８のように、フランジ９ａに取り付けられる取付部１０ｂとその取付部１０ｂに対し直角に曲折されて設けられた係止板が設けられ、係止板の両側に係止部１０ａが両側に突出して設けられている。この上の係止部１０ａには、上部作動杆７の係止凸部７ａが係止可能であり、下の係止部１０ａには下部作動杆８の係止凸部８ａが係止可能である。つまり、施錠時に、ラッチ部材５，６が施錠位置に回動し、上部作動杆７が上方に、下部作動杆８が下方に摺動して、上部作動杆７と下部作動杆８間の間隔が拡大したとき、上部作動杆７の係止凸部７ａが上の係止部１０ａに係止され、下部作動杆８の係止凸部８ａが下の係止部１０ａに係止されて、上部作動杆７と下部作動杆８間がロックされ、施錠状態が保持される。
【００２８】
また、図８に示すように、係止部材１０の取付部１０ｂには、シリンダ錠９を軸方向に移動可能にガイドする２本のガイド筒１５を通すためのガイド孔１０ｃが穿設され、さらに、中央には、錠軸９ｂを位置させると共に、錠軸９ｂの周りに捻りばね１４を装着するための円形凹部が形成されている。このような係止部材１０は、その取付部１０ｂがシリンダ錠９のフランジ９ａの正面側に固定されるが、さらにその取付部１０ｂの正面側には図９に示すようなカバー部材１１が固定ねじなどで固定される。このカバー部材１１にも、係止部材１０の取付部１０ｂと同様のガイド孔１１ｃと円形凹部が形成されている。シリンダ錠９が基枠体１に装着されたとき、係止部材１０の係止部１０ａは取付板２の幅広部２ａの角部に設けたスリット孔２ｃに挿入され、シリンダ錠９の摺動に応じてそのスリット孔２ｃ内を移動する。
【００２９】
なお、カバー部材１１は、係止部材１０と一体に形成することもできる。また、係止部材１０は、或はカバー部材１１と一体化された係止部材は、シリンダ錠９のフランジ９ａと一体に形成することもできる。
【００３０】
シリンダ錠９のフランジ９ａの正面側に係止部材１０とカバー部材１１が固定された状態で、その中央に突出する錠軸９ｂの周りに捻りばね１４が装着され、その上から図１２のようにカム部材１３が固定ねじより錠軸９ｂの先端部に固定される。カム部材１３は、図１１に示すように、中央の円形部の２箇所にばね掛け部１３ｆ、１３ｇが突設され、円形部の背面側に突出して第１ガイド部１３ａと第２ガイド部１３ｂが設けられ、第１ガイド部１３ａの外側にはスイッチ作動部１３ｅが外方に突き出すように設けられる。
【００３１】
このカム部材１３は、従来の施錠装置のように連結杆或いは作動杆に作用して、鉤部材を回動或は摺動させるためのものではなく、解錠状態においてシリンダ錠９の錠軸９ｂの動きをロックし、シリンダ錠９を押し込んだ施錠状態においてその押し込み状態をロックするための係止部材として機能する部材であり、また、第１ガイド部１３ａに設けられたスイッチ作動部１３ｅのように、スイッチ作動部材として機能する部材である。カム部材１３の２箇所のばね掛け部１３ｆ、１３ｇには、上記捻りばね１４の両端が掛止され、錠軸９ｂとカム部材１１は、この捻りばね１４によって、その中立位置に常に戻されるように付勢される。
【００３２】
カム部材１３は、その第１ガイド部１３ａと第２ガイド部１３ｂが、シリンダ錠９の軸方向への摺動時に、後述のカバーガイド部材１２の異形ガイド孔１２ａ内を摺動して、その摺動をガイドするように作用する。また、図１１（ｂ）に示すように、第１ガイド部１３ａの元部には係止部１３ｃが段状に形成され、第２ガイド部１３ｂの元部には係止部１３ｄが段状に形成され、施錠時にシリンダ錠９が押し込まれ、錠軸９ａが中立位置に戻されたとき、係止部１３ｃ、１３ｄがカバーガイド部材１２の背面側に係止され、施錠係止状態を保持する。
【００３３】
また、解錠時にキーを右に回してシリンダ錠９を引き出したとき、図１５（ｂ）のように、カム部材１３の第１ガイド部１３ａと第２ガイド部１３ｂが、カバーガイド部材１２の異形ガイド孔１２ａ内の上下の係合ガイド部１２ｂに嵌合し、その状態を保持する構造となっている。つまり、シリンダ錠９にキーを挿入して解錠位置に回し、シリンダ錠９を引き出したとき、この第１ガイド部１３ａと第２ガイド部１３ｂが係合ガイド部１２ｂに嵌合して、キーの回動状態を保持するようにしている。
【００３４】
基枠体１内の取付板２の幅広部２ａには、その背面側からシリンダ錠９のフランジ９ａ、カバー部材１１、係止部材１０を覆うようにカバーガイド部材１２が固定される。カバーガイド部材１２は、図１０に示すように、側面視で略コ字状に形成され、背面側の中央に異形ガイド孔１２ａが形成され、その上部と下部には２本のガイド筒１５に各々固定ねじ１６を挿入するための挿入孔が形成されている。この異形ガイド孔１２ａには背面側からカム部材１３が挿入され、カム部材１３はその中央に固定ねじが差し込まれ錠軸９ｂに固定される。異形ガイド孔１２ａには、カム部材１３を図１２（ｂ）の位置にキーを回して回動したとき、カム部材１３の第１ガイド部１３ａとガイド部１３ｂを係合させてガイドする係合ガイド部１２ｂが上部と下部に平坦部分として形成されている。
【００３５】
係止部材１０及びガイド部材１１をフランジ９ａに固定したシリンダ錠９を、基枠体１に取り付ける場合、図５に示すように、フランジ９ａなどの上部と下部に設けたガイド孔９ｃ、１０ｃ、１１ｃに２本のガイド筒１５を挿入した状態で、シリンダ錠９を基枠体１の内側からその幅広部２ａの挿入孔に差し込む。次に、カバーガイド部材１２をフランジ９ａ等の背面側に被せ、固定ねじ１６を挿入孔からガイド筒１５内に差し込み、幅広部２ａのねじ孔にねじ込み、カバーガイド部材１２を固定する。
【００３６】
これにより、シリンダ錠９は係止部材１０、カバー部材１１、カム部材１３と共にその軸方向に摺動可能に、つまり基枠体1に対し押しこみ引き出し可能に装着され、係止部材１０、カバー部材１１、カム部材１３はカバーガイド部材１２の内側で前後方向に移動可能に組み付けられる。
【００３７】
なお、基枠体１の支持板３の下部には、滑りローラ１７が回転可能に軸支され、中間支持板３ｅの外側には、作動スイッチを取り付けるための取付ブラケット１８が固定されている。取付ブラケット１８には、図示しない光電スイッチなどからなる非接触スイッチが取り付けられ、シリンダ錠９に差し込んだキーを左側に回したとき、カム部材１３が同方向に回動し、そのスイッチ作動部１３ｅが非接触スイッチの内側に進入し、スイッチ信号が発生する。
【００３８】
このように構成された施錠装置は、図１８，図１９に示すように、ゲーム機の前扉（前面枠）２１の内側にその取付板２を当てて固定され、キャビネット（本体枠）２０の内側の対応位置には、受け金具２２，２３が取り付けられる。なお、受け金具は１本の受け金具本体に２個の係止部を設けて形成することもできる。
【００３９】
受け金具２２，２３は、金属板をＬ形に曲折して形成され、板状の係止部を施錠装置側のラッチ部材５、６に対向し、正面を向くように取り付けられ、その板状の係止部はラッチ部材５，６の拘束溝部に進入し嵌合可能である。また、キャビネット２０の下部にはローラ受け２４が滑りローラ１７に対応した位置に取り付けられる。
【００４０】
前扉２１を開いた状態では、図１８のように、施錠装置は解錠状態にあり、図１６に示すように、シリンダ錠９は正面側に引き出され、これによって、係止部材１０の係止部１０ａが上部作動杆７と下部作動杆８の係止凸部７ａ，８ａから外れ、上部作動杆７と下部作動杆８はコイルばね４に付勢力によりカム部材側（中央側）に移動し、つまり上部作動杆７が下に移動して、上部のラッチ部材５が解錠状態となり、下部作動杆８が上に移動して、下部のラッチ部材６が解錠状態となっている。すなわち、コイルばね４の付勢力により、上部作動杆７は下方に移動した状態、下部作動杆８は上方に移動した状態となる。また、上部のラッチ部材５は背面側に開いて、その拘束溝部５ａを斜め下方に向け、下部のラッチ部材６は背面側に開いて、その拘束溝部６ａを斜め上方に向け、シリンダ錠９は正面側に引き出された状態となっている。
【００４１】
なお、この解錠状態におけるシリンダ錠９は、図１５（ｂ）のように、その錠軸９ｂに固定されたカム部材１３の第１ガイド部１３ａと第２ガイド部１３ｂが、カバーガイド部材１２の異形ガイド孔１２ａ内の上下の係合ガイド部１２ｂに嵌合しているため、キーを右に回した状態で保持されている。つまり、通常のシリンダ錠を使用した場合、このようにキーを中立位置から回した状態では、キーを抜くことができないため、キーはキーを右に回した状態で保持される。
【００４２】
ゲーム機が、図１８のように、前面枠２１を開いた状態において、前面枠２１を施錠する場合には、それを閉じて施錠するが、このとき、シリンダ錠９に差し込んだキーは解錠位置（右に回した位置）にロックされているから、使用者はキーを持った状態で、前面枠２１を押して閉じることができる。
【００４３】
そして、図１９のように、前面枠２１をキャビネット２０側に閉じると、上下のラッチ部材５，６が、受け金具２２，２３の押し込み力を受けて相互に内側に回動しながら、その拘束溝部５ａ，６ａ内に受け金具２２，２３の板部が進入し、ラッチ部材５，６の拘束溝部５ａ，６ａが略真下または真上に向いたとき、完全にロックされた状態となる。このとき、図１５のように、上部作動杆７は上方に移動してその下部の係止凸部７ａは上にシフトし、下部作動杆８は下方に移動してその上部の係止凸部８ａは下にシフトするため、シリンダ錠９と共に軸方向に移動可能な係止部材１０は押し込み可能な状態となる。
【００４４】
このため、使用者はキーを持った状態で、前面枠２１を押し込んで閉じたとき、押し込み力がシリンダ錠９にそのまま作用し、図１４のように、シリンダ錠９が基枠体１に押し込まれる。このとき、シリンダ錠９のフランジ９ａに固定された係止部材１０の係止部１０ａが、上部作動杆７の係止凸部７ａと下部作動杆８の係止凸部８ａの間に進入し、係止凸部７ａ，８ａが上下の係止部１０ａに係止される。よって、上部作動杆７と下部作動杆８及び上下のラッチ部材５，６がロックされ、施錠状態となる。
【００４５】
また、このとき、カム部材１３は、図１３（ａ）のように、カバーガイド部材１２の異形ガイド孔１２ａの背面側に押し込まれ、左に回動可能な状態となるため、シリンダ錠９に差し込んだキーは、その錠軸９とカム部材１３は、捻りばね１４の付勢力によって、自動的に中立位置に戻される。そして、錠軸９とカム部材１３が、図１４のような中立位置に回動した状態では、図１３に示すように、カム部材１３の係止部１３ｃ、１３ｄがカバーガイド部材１２の背面に係止されるため、カム部材１３とシリンダ錠９はその位置でロックされる。したがって、この状態で、施錠は完了し、使用者は中立位置のシリンダ錠９からキーを抜くことができる。
【００４６】
このように、施錠操作は、使用者が例えばキーを持って前面枠２１を閉じると共に、同時にシリンダ錠９を押し込むだけの簡単な操作で施錠することができる。また、このような施錠状態においては、図１４に示すように、係止部材１０の上下の係止部１０ａが上部作動杆７の係止凸部７ａと下部作動杆８の係止凸部８ａに係止されて、上部作動杆７と下部作動杆８及び上下のラッチ部材５，６が、完全にロックされ、その移動や回動が不可能となるため、不正な針金を差し込んで、上部作動杆７、下部作動杆８、ラッチ部材５，６を動かして不正解除しようとしても、全く不可能となる。
【００４７】
また、施錠状態においては、図１９のように、上下のラッチ部材５，６が間に受け金具２２，２３を挟むようにロックされるため、仮に前面枠２１を上下方向に動かして不正にラッチ部材５，６の係止を外そうとしても、不正解錠は不可能となる。さらに、ゲーム機の前面枠２１は通常、その左端部に蝶番が取り付けられ、前面枠２１の右側端部に施錠装置が縦に取り付けられ、その場合、前面枠の自由端側の隙間に近い施錠装置の部分は、基枠体１の内側となるが、不正解錠の際に不正操作されやすい上部作動杆７、下部作動杆８、ラッチ部材５，６、及びコイルばね４は、基枠体１の外側に配設されるため、これによっても、不正解除を解消することができる。
【００４８】
一方、施錠装置を解錠操作する場合は、キーをシリンダ錠９に挿入し、それを右側に回す。すると、図１５に示すように、錠軸、カム部材１３が捻りばね１４の付勢力に抗して同方向に回動し、カム部材１３の第１ガイド部１３ａと第２ガイド部１３ｂがカバーガイド部材１２の異形ガイド孔１２ａの係止ガイド部１２ｂに沿った位置に回動したとき、カム部材１３及びシリンダ錠９が軸方向に移動可能となる。そしてその状態でキーを持ってシリンダ錠９を手前に引き出すように操作する。
【００４９】
このとき、図１５（ａ）のように、シリンダ錠９と共に係止部材１０が前方に引き出され、これにより、係止部材１０の係止部１０ａが上部作動杆７と下部作動杆８の係止凸部７ａ，８ａから外れる。このため、図１６のように、上部作動杆７と下部作動杆８は、コイルばね４の付勢力によりカム部材側（中央側）に移動し、つまり上部作動杆７が下に移動して、上部のラッチ部材５が解錠状態となり、下部作動杆８が上に移動して、下部のラッチ部材６が解錠状態となる。すなわち、コイルばね４の付勢力により、上部作動杆７は下方に移動し、下部作動杆８は上方に移動した状態となる。よって、上部のラッチ部材５は背面側に開いてその拘束溝部５ａを斜め下方に向けるように回動し、下部のラッチ部材６は背面側に開いてその拘束溝部６ａを斜め上方に向けるように回動し、これによって、受け金具２２，２３はラッチ部材５，６から突き出すように開放され、解錠される。
【００５０】
また、このとき、ラッチ部材５、６は、コイルばね４により解錠位置まで付勢されて回動するため、固定側の受け金具２２，２３をラッチ部材５、６が押した反動で、施錠装置側の前面枠２１が自動的に開き、使用者は解錠したことを容易に認識することができる。そしてこのとき、シリンダ錠９は、上記のように、正面側に引き出され、右に所定角度だけ回した状態に保持される。
【００５１】
一方、施錠状態において、シリンダ錠９にキーを差し込み、左に回すと、カム部材１３が同方向に回動して図１２（ｃ）の状態となる。このとき、その第１ガイド部１３ａ上のスイッチ作動部１３ｅが、取付ブラケット１８上の図示しない非接触スイッチに作用し、非接触スイッチからオンオフ信号がリセット信号などとして出力され、リセット操作などに使用される。
【００５２】
このように、施錠状態においては、係止部材１０の上下の係止部１０ａが上部作動杆７の係止凸部７ａと下部作動杆８の係止凸部８ａに係止されて、上部作動杆７と下部作動杆８及び上下のラッチ部材５，６が、完全にロックされ、その移動や回動が不可能となる。したがって、不正な針金を前面枠の隙間から差し込んで、上部作動杆７、下部作動杆８、ラッチ部材５，６を動かして不正解除しようとしても、全く不可能となり、非常に高い確率で不正解錠を防止することができる。また、施錠操作は、使用者が例えばキーを持って前面枠２１を閉じると共に、同時にシリンダ錠９を押し込むだけの簡単な操作で施錠することができ、解錠時にも、キーを回してシリンダ錠９を引けば、シリンダ錠９がそのまま引き出されて解錠されるため、極めてスムーズに施錠解錠操作を行うことができる。
【００５３】
図２０は、他の実施形態を示している。この例では、シリンダ錠９の元部つまりフランジ９ａと基枠体１の取付板２の幅広部２ａとの間に、ばね部材（コイルばね）９ｃが、シリンダ錠９を基枠体１に押し込む方向に付勢した装着されている。このように、シリンダ錠９を基枠体１側に押し込む方向に付勢するばね部材９ｃを装着すれば、施錠時、前面枠２１を閉じて、ラッチ部材５，６を施錠位置に回動させれば、自動的にシリンダ錠９が基枠体１に押し込まれ、使用者はキーを持たずに前面枠２１を閉じるだけの簡単な操作で、施錠することができる。
【００５４】
なお、上記実施形態では、上部のラッチ部材５を下側に回動させ、下部のラッチ部材６を上側に回動させて施錠する構造としたが、上部のラッチ部材、下部のラッチ部材を共に同じ方向に回動させて施錠する構造とすることもでき、その場合は、上部と下部のラッチ部材を1本の作動杆で連結し、その作動杆と基枠体との間にコイルばねを装着して解錠方向に付勢し、施錠時にはシリンダ錠を押し込むことにより、その作動杆をロックする構造とすればよい。
【図面の簡単な説明】
【００５５】
【図１】本発明の一実施例を示す施錠装置の正面図である。
【図２】同装置の左側面図である。
【図３】同装置の右側面図である。
【図４】同装置の背面図である。
【図５】同装置の分解斜視図である。
【図６】同装置の分解左側面図である。
【図７】同施錠装置の分解背面図である。
【図８】（ａ）は係止部材の背面図、（ｂ）は係止部材の右側面図である。
【図９】（ａ）はカバー部材の背面図、（ｂ）はその右側面図である。
【図１０】（ａ）はカバーガイド部材の背面図、（ｂ）はその右側面図、（ｃ）はその底面図である。
【図１１】（ａ）はカム部材の背面図、（ｂ）はその右側面図である。
【図１２】（ａ）は中立位置のカム部材を示す背面図、（ｂ）はキーを右に回したときのカム部材を示す背面図、（ｃ）はキーを左に回したときのカム部材を示す背面図である。
【図１３】（ａ）はシリンダ錠を押し込んだ状態の左側面図、（ｂ）はシリンダ錠を引き出した状態の左側面図である。
【図１４】（ａ）施錠操作した状態の左側面図、（ｂ）同状態の背面図である。
【図１５】（ａ）はキーを差し込んで解錠操作し、シリンダ錠を引き出した状態の左側面図、（ｂ）同状態の背面図である。
【図１６】解錠操作時に上部作動杆と下部作動杆が内側に戻り、ラッチ部材が解錠側に回動したときの左側面図である。
【図１７】解錠操作時の右側面図である。
【図１８】使用状態を示す解錠時の左側面図である。
【図１９】使用状態を示す施錠時の左側面図である。
【図２０】他の実施形態を示し、（ａ）はシリンダ錠を押し込んだ状態の左側面図、（ｂ）はシリンダ錠を引き出した状態の左側面図である。
【符号の説明】
【００５６】
１−基枠体
２−取付板
３−支持板
３ａ−凹部
４−コイルばね
５、６−ラッチ部材
５ａ，６ａ−拘束溝部
７，８−作動杆
７ａ，８ａ−係止凸部
９−シリンダ錠
９ｃ−ばね部材
１０−係止部材
１０ａ−係止部
１２−カバーガイド部材
１３−カム部材
１３ａ−第１ガイド部
１３ｂ−第２ガイド部
１４−捻りばね
【図１】
2006218034.tif 000003
【図２】
2006218034.tif 000004
【図３】
2006218034.tif 000005
【図４】
2006218034.tif 000006
【図５】
2006218034.tif 000007
【図６】
2006218034.tif 000008
【図７】
2006218034.tif 000009
【図８】
2006218034.tif 000010
【図９】
2006218034.tif 000011
【図１０】
2006218034.tif 000012
【図１１】
2006218034.tif 000013
【図１２】
2006218034.tif 000014
【図１３】
2006218034.tif 000015
【図１４】
2006218034.tif 000016
【図１５】
2006218034.tif 000017
【図１６】
2006218034.tif 000018
【図１７】
2006218034.tif 000019
【図１８】
2006218034.tif 000020
【図１９】
2006218034.tif 000021
【図２０】
2006218034.tif 000022